(57)【要約】  【課題】押出し成形を用いることで、部品点数を増やすことなく、任意の位置に部品を取り付けることができる電子機器用筐体を提供する。  【解決手段】筐体１０は、本体部１０ａと、本体部１０ａの底面に形成された略コの字形状のレール１０ｂとで構成され、押出し形成により形成される。三脚取り付け部材１１のフランジ１１ｂがレール１０ｂによって形成された空間の内面に接するように、かつ三脚ネジ取り付け部１１ａが開口溝の内面に接するように、三脚取り付け部材１１をレール１０ｂによって形成された空間内部に挿入し、三脚取り付け部材１１が任意の位置にある状態でレール１１ｂの開口溝の下方から三脚ネジ１３をネジ孔１１ｃに締め付けると、三脚取り付け部材１１全体が下方向へ押し下げられる。その結果、フランジ１１ｂがレール１０ｂに圧接し、三脚取り付け部材１１がレール１０ｂ上の所望の位置で固定される。【選択図】  図１
2009186586.tif 000002
【特許請求の範囲】
【請求項１】
押出し成形により形成された中空の金属製の電子機器用筐体であって、
その外周面には、外部部品を取り付けるためのレールが押出し成形により一体形成されたことを特徴とする電子機器用筐体。
【請求項２】
前記レールは、対向する略Ｌ字形状又は略Ｔ字形状であることを特徴とする請求項１に記載の電子機器用筐体。
【請求項３】
前記電子機器用筐体の外縁には、放熱用の凹凸形状が形成され、
前記レールは、前記凹凸形状の一部として形成されたことを特徴とする請求項１又は２に記載の電子機器用筐体。
【請求項４】
フランジと、ネジ穴とが形成された部品が前記レール上に取り付けられ、該部品の取り付け位置の調整が可能な電子機器用筐体であって、
前記レールにより形成された空間に挿入された前記部品を前記レール上で摺動させ、任意の位置で前記レールの外側から前記ネジ穴にネジを螺合させると、前記フランジが前記レールに圧接されて、前記部品が前記レールに固定され、
前記ネジを緩めて前記フランジと前記レールとの圧接を解除すると、前記部品が前記レール上で摺動可能となる
ことを特徴とする請求項１、２又は３に記載の電子機器用筐体。
【請求項５】
円筒形のフランジと、該フランジの表面に形成されたカムであって、前記フランジの表面に対して傾斜したカム面を有するカムと、が前記レール上に取り付けられ、該部品の取り付け位置の調整が可能な電子機器用筐体であって、
前記レールにより形成された空間に挿入された前記部品を前記レール上で摺動させ、任意の位置で前記部品を所定の方向に回転させることで前記フランジ及び前記カムを回転させると、前記カム面及び前記フランジと前記レールとが圧接されて、前記部品が前記レールに固定され、
前記部品を前記所定の方向と反対方向に回転させて前記フランジと前記レールとの圧接を解除すると、前記部品が前記レール上で摺動可能となる
ことを特徴とする請求項１、２又は３に記載の電子機器用筐体。
【請求項６】
前記押出し成形は水平方向の押出し成形であり、
前記レールは前記電子機器用筐体の前面、背面、底面及び上面の少なくとも１つに形成されたことを特徴とする請求項１から５のいずれかに記載の電子機器用筐体。
【請求項７】
前記押出し成形は垂直方向の押出し成形であり、
前記レールは前記電子機器用筐体の前面、背面及び側面の少なくとも１つに形成されたことを特徴とする請求項１から５のいずれかに記載の電子機器用筐体。
【請求項８】
前記部品は、三脚取り付け用の部材であることを特徴とする請求項６に記載の電子機器用筐体。
【請求項９】
前記部品は、ストラップ取り付け用の部材であることを特徴とする請求項６から８のいずれかに記載の電子機器用筐体。
【請求項１０】
前記部品は、前記電子機器用筐体を把持するための部材であることを特徴とする請求項６から９のいずれかに記載の電子機器用筐体。
【請求項１１】
前記部品は、表示部材であることを特徴とする請求項６から１０のいずれかに記載の電子機器用筐体。
【請求項１２】
前記電子機器はカメラであり、
前記電子機器用筐体の前面には、撮影レンズ用の取り付け部が後加工により形成されることを特徴とする請求項１から１１のいずれかに記載の電子機器用筐体。
【発明の詳細な説明】
【技術分野】
【０００１】
本発明は電子機器用筐体に係り、特に押出し成形により形成された電子機器用筐体に関する。
【背景技術】
【０００２】
特許文献１には、プリント基板を取り付けるための溝が内部に形成された筐体であって、押し出し成形により溝と壁とが同時に形成される筐体が提案されている。
【特許文献１】特開平８―２３１７５号公報
【発明の開示】
【発明が解決しようとする課題】
【０００３】
特許文献１に記載の筐体は、押し出し成形により形成される溝の長さは筐体の長さと同一であり、任意の位置に部品を取り付けることができないという問題がある。
【０００４】
本発明はこのような事情に鑑みてなされたもので、押出し成形を用いることで、部品点数を増やすことなく、任意の位置に部品を取り付けることができる電子機器用筐体を提供することを目的とする。
【課題を解決するための手段】
【０００５】
前記目的を達成するために、請求項１に記載の電子機器用筐体は、押出し成形により形成された中空の金属製の電子機器用筐体であって、その外周面には、外部部品を取り付けるためのレールが押出し成形により一体形成されたことを特徴とする。これにより、部品点数を削減することができる。
【０００６】
請求項２に記載の電子機器用筐体は、請求項１に記載の電子機器用筐体において、前記レールは、対向する略Ｌ字形状又は略Ｔ字形状であることを特徴とする。
【０００７】
請求項３に記載の電子機器用筐体は、請求項１又は２に記載の電子機器用筐体において、前記電子機器用筐体の外周面には、放熱用の凹凸形状が形成され、前記レールは、前記凹凸形状の一部として形成されたことを特徴とする。これにより、良好な部品取り付け性と、高い放熱効率とを兼ねた筐体を提供することができる。
【０００８】
請求項４に記載の電子機器用筐体は、請求項１、２又は３に記載の電子機器用筐体において、フランジと、ネジ穴とが形成された部品が前記レール上に取り付けられ、該部品の取り付け位置の調整が可能な電子機器用筐体であって、前記レールにより形成された空間に挿入された前記部品を前記レール上で摺動させ、任意の位置で前記レールの外側から前記ネジ穴にネジを螺合させると、前記フランジが前記レールに圧接されて、前記部品が前記レールに固定され、前記ネジを緩めて前記フランジと前記レールとの圧接を解除すると、前記部品が前記レール上で摺動可能となることを特徴とする。
【０００９】
請求項４に記載の電子機器によれば、部品をレールにより形成された空間に挿入し、部品をレール上で摺動させ、任意の位置でレールの外側からネジ穴にネジを螺合させると、フランジがレールに圧接されることで、部品がレール上の所望の位置で固定される。ネジを緩めると、部品は再度レール上で摺動可能となる。これにより、部品の取り付け位置をユーザーが容易に調整することができる。
【００１０】
請求項５に記載の電子機器用筐体は、請求項１、２又は３に記載の電子機器用筐体において、円筒形のフランジと、該フランジの表面に形成されたカムであって、前記フランジの表面に対して傾斜したカム面を有するカムと、が前記レール上に取り付けられ、該部品の取り付け位置の調整が可能な電子機器用筐体であって、前記レールにより形成された空間に挿入された前記部品を前記レール上で摺動させ、任意の位置で前記部品を所定の方向に回転させることで前記フランジ及び前記カムを回転させると、前記カム面及び前記フランジと前記レールとが圧接されて、前記部品が前記レールに固定され、前記部品を前記所定の方向と反対方向に回転させて前記フランジと前記レールとの圧接を解除すると、前記部品が前記レール上で摺動可能となることを特徴とする。
【００１１】
請求項５に記載の電子機器によれば、部品をレールにより形成された空間に挿入し、部品をレール上で摺動させ、任意の位置で部品を所定の方向に回転させると、フランジ及びカムが同時に回転し、カムのカム面とレールとが圧接し、フランジとレールとが圧接されることで、部品がレール上の所望の位置で固定される。部品を所定の方向と反対方向に回転させると、部品は再度レール上で摺動可能となる。これにより、部品の取り付け位置をユーザーが容易に調整することができる。
【００１２】
請求項６に記載の電子機器用筐体は、請求項１から５のいずれかに記載の電子機器用筐体において、前記押出し成形は水平方向の押出し成形であり、前記レールは前記電子機器用筐体の前面、背面、底面及び上面の少なくとも１つに形成されたことを特徴とする。レールが底面に形成された場合は、三脚取り付け用の部品の取り付けに好適であり、レールが背面に形成された場合には、液晶パネルなどのモニタの取り付けに好適である。
【００１３】
請求項７に記載の電子機器用筐体は、請求項１から５のいずれかに記載の電子機器用筐体において、前記押出し成形は垂直方向の押出し成形であり、前記レールは前記電子機器用筐体の前面、背面及び側面の少なくとも１つに形成されたことを特徴とする。レールが側面に形成された場合は、ストラップ取り付け用の部品や、電子機器を把持するためのグリップの取り付けに好適であり、レールが前面に形成された場合は、電子機器を把持するためのグリップの取り付けに好適であり、レールが背面に形成された場合には、液晶パネルなどのモニタの取り付けに好適である。
【００１４】
請求項８に記載の電子機器用筐体は、請求項６に記載の電子機器用筐体において、前記部品は、三脚取り付け用の部材であることを特徴とする。
【００１５】
請求項９に記載の電子機器用筐体は、請求項６から８のいずれかに記載の電子機器用筐体において、前記部品は、ストラップ取り付け用の部材であることを特徴とする。
【００１６】
請求項１０に記載の電子機器用筐体は、請求項６から９のいずれかに記載の電子機器用筐体において、前記部品は、前記電子機器用筐体を把持するための部材であることを特徴とする。把持部の位置を自由に調整できるため、使用勝手を良くすることができる。
【００１７】
請求項１１に記載の電子機器用筐体は、請求項６から１０のいずれかに記載の電子機器用筐体において、前記部品は、表示部材であることを特徴とする。
【００１８】
請求項１２に記載の電子機器用筐体は、請求項１から１１のいずれかに記載の電子機器用筐体において、前記電子機器はカメラであり、前記電子機器用筐体の前面には、撮影レンズ用の取り付け部が後加工により形成されることを特徴とする。
【発明の効果】
【００１９】
本発明によれば、押出し成形によって、押出し成形を用いることで、部品点数を増やすことなく、任意の位置に部品を取り付けることができる電子機器用筐体を提供することができる。
【発明を実施するための最良の形態】
【００２０】
＜第１の実施の形態＞
第１の実施の形態は、筐体の水平方向の押出し成形により、筐体の底面にレールを一体形成して、三脚取り付け用の部材をユーザーが所望の位置で固定可能な形態である。押出し成形とは、材料に圧力をかけてダイス穴から押し出すことにより、所定の断面形状を持つ成形品を成形するものであり、成形後の材料を所定の長さで切断することで、部品が形成される。
【００２１】
図１は本発明の第１の実施の形態に係るカメラ１の要部斜視図である。図２は図１に示すカメラ１に三脚を取り付けた場合の要部断面図である。
【００２２】
カメラ１は、主として、筐体１０と、三脚取り付け部材１１とで構成される。筐体１０の内部にレンズユニット、モニタ、基板などの図示しない様々な部品や、三脚取り付け部材１１を組み込んだ後で、図示したい側板で筐体１０の側面を覆うことにより、カメラ１が組み立てられる。
【００２３】
筐体１０は、アルミニウム合金を用いて押出し形成により形成された中空の部材であり、主として、本体部１０ａと、レール１０ｂと、レンズ用の孔１０ｃと、フラッシュ用の孔１０ｄと、モニタ用の孔１０ｅとで構成される。筐体１０に用いるアルミニウム合金としては、強度、成形性、コストなどを考慮し、押出性に優れ、耐食性、表面処理性も良好なＡｌ−Ｍｇ−Ｓｉ系のＡ６０６３、Ａｌ−Ｍｎ系のＡ３００３、Ａ３００４などを使用することができる。
【００２４】
本体部１０ａは、一定の肉厚で略矩形形状に形成される。本体部１０ａの外周の底面側には、外部部品（本実施の形態では、三脚取付部材１１）を取り付けるためのレール１０ｂが押出し成形により本体部１０ａと同時に形成される。レール１０ｂは、対向する略Ｌ字形状の部材により構成され、内部には略Ｔ字形状の空間が形成される。
【００２５】
本体部１０ａの前面には、後加工によりレンズ用の孔１０ｃと、フラッシュ用の孔１０ｄとが形成される。また、本体部１０ａの背面には、後加工によりモニタ用の孔１０ｅが形成される。レンズ用の孔１０ｃには、撮影レンズが組み立てられ、フラッシュ用の孔１０ｄには、フラッシュの発光部が組み立てられ、モニタ用の孔１０ｅには液晶パネルなどの表示手段が組み立てられる。
【００２６】
三脚取り付け部材１１は、略円筒形の三脚ネジ取り付け部１１ａと、フランジ１１ｂとで構成される。
【００２７】
三脚ネジ取り付け部１１ａは、その直径がレール１０ｂの間の開口溝の幅より狭くなるように形成される。三脚ネジ取り付け部１１ａの内部には、図２に示すように、ネジ孔１１ｃが形成される。
【００２８】
フランジ１１ｂは、略矩形形状であり、レール１０ｂの開口部から三脚取り付け部材１１が抜けないように、三脚ネジ取り付け部１１ａの所定の位置に形成される。フランジ１１ｂの幅は、レール１０ｂの間の開口溝の幅より広くなるように形成される。
【００２９】
フランジ１１ｂがレール１０ｂ内面に接するようにして三脚取り付け部材１１をレール１０ｂによって形成された略Ｔ字形状の空間に挿入すると、三脚ネジ取り付け部１１ａがレール１０ｂの間の開口溝の内部を摺動することで、三脚取り付け部材１１がレール１０ｂに沿って左右に摺動する。その後で、図示しない側板を筐体１０に組み立てて、三脚取り付け部材１１が筐体１０から抜けないようにする。
【００３０】
このようにしてカメラ１に摺動自在の取り付けられた三脚取り付け部材１１には、以下のようにして三脚が取り付けられる。
【００３１】
三脚１２の上にカメラ１を設置する。レール１１ｂの間の開口溝の下方から、三脚ネジ１３をネジ孔１１ｃに軽くネジ締めし、三脚取り付け部材１１がカメラ１の左右方向の所望の位置に調整する。その状態で、三脚ネジ１３をネジ孔１１ｃに締め付ける。
【００３２】
三脚ネジ１３をネジ孔１１ｃに締め付けるのに伴い、三脚取り付け部材１１全体が下方向へ押し下げられる。その結果、フランジ１１ｂがレール１０ｂに圧接し、三脚取り付け部材１１がレール１０ｂ上の所望の位置で固定される。
【００３３】
三脚ネジ１３を緩めると、フランジ１１ｂとレール１０ｂとの圧接が解除され、三脚取り付け部材１１が摺動可能となる。これにより、三脚１２の取り付け位置をユーザーが容易に調整することができる。
【００３４】
本実施の形態によれば、三脚取り付け部材１１を筐体１０の本体部１０ａと一体成形されたレール１０ｂに摺動可能に取り付けることにより、三脚取り付け部材１１の摺動に必要な部品を廃止でき、部品点数を削減することができる。
【００３５】
また、本実施の形態によれば、三脚１２の取り付け位置をユーザーが容易に調整することができ、良好な状況で三脚撮影が可能なカメラを提供することができる。
【００３６】
なお、本実施の形態では、対向する略Ｌ字形状の部材によりレールを形成したが、外部部品が取付可能であれば、略Ｔ字形状など他の形状のレールを形成するようにしてもよい。
【００３７】
また、三脚１２を使用しない場合には、別のネジを用いたり、側板（図示せず）などに形成されたスナップフィットなどの固定部材を用いたりして、三脚取り付け部材１１が自由に動かないように三脚取り付け部材１１を仮固定することが望ましい。
【００３８】
＜第２の実施の形態＞
本発明の第２の実施の形態は、押出し成形によりレールを一体形成する点で第１の実施の形態と同様であるが、押出し方向が第１の実施の形態と異なるものである。
【００３９】
第２の実施の形態は、筐体の上下方向の押し出し成形により、筐体の側面にレールを一体形成して、ストラップ取り付け用の部材をユーザーが所望の位置で固定可能にすると共に、筐体の外周面に複数のフィンを形成するとこで筐体の表面から効率よく熱を放熱する形態である。
【００４０】
図３は本発明の第２の実施の形態に係るカメラ２の要部斜視図である。図４はストラップ取り付け部材２１の斜視図である。図５は、カメラ２の要部断面図である。
【００４１】
カメラ２は、主として、筐体２０と、ストラップ取り付け部材２１とで構成される。筐体２０の内部にレンズユニット、モニタ、基板などの図示しない様々な部品を組み込んだ後で、図示したい側板で筐体２０の上面及び底面を覆うことにより、カメラ２が組み立てられる。
【００４２】
筐体２０は、筐体１０と同様に、アルミニウム合金を用いて押出し形成により形成された中空の部材であり、主として、本体部２０ａと、レール２０ｂと、レンズ用の孔１０ｃと、フラッシュ用の孔１０ｄと、モニタ用の孔１０ｅと、フィン２０ｆで構成される。
【００４３】
本体部２０ａは、一定の肉厚で略矩形形状に形成され、その外周面全体には、フィン２０ｆ（図５参照）が押出し成形により同時に形成される。フィン２０ｆは、略矩形形状の断面を有するリブである。
【００４４】
また、本体部２０ａの側面には、押出し成形によりレール２０ｂが形成される。レール２０ｂは、図５に示すように、対向する略Ｌ字形状のリブにより構成され、内部には略ｔ字形状の空間が形成される。空間の奥にはカム２１ｆ（後述）の逃げとなる溝が形成される。また、空間の外側には、開口溝が形成される。
【００４５】
本体部２０ａの内部に組み立てられた電子部品などで発生した熱は、直接又は他の部品を介して壁２０に伝達され、フィン２０ｆを介して外部に放熱される。フィン２０ｆにより本体部２０ａの表面積を増やすことで、本体部２０ａの熱を効率よく外部へ放熱することができる。また、レール２０ｂも、フィン２０ｆと同様に放熱用のフィンとして用いられる。なお、フィン２０ｆは本体部２０ａの外側全体に形成されているが、図３においては記号を省略している。
【００４６】
ストラップ取り付け部材２１は、主として、本体部２１ａと、ツマミ２１ｂと、孔２１ｃと、摺動部２１ｄと、フランジ２１ｅと、カム２１ｆとで構成される。
【００４７】
本体部２１ａは、略円錐形であり、凸側にはツマミ２１ｂが形成され、平面側には摺動部２１ｄが形成される。また、本体部２１ａを貫通するように孔２１ｃが形成され、孔２１ｃを介して本体部２１ａにストラップが取り付けられる。
【００４８】
摺動部２１ｄは、直径が略ｔ字形状の溝の最小幅より小さく、高さが略Ｌ字形状のリブの幅より高い円筒形であり、先端にはフランジ２１ｅが形成される。
【００４９】
フランジ２１ｅは、直径が略ｔ字形状の溝の最大幅より小さく、高さが略ｔ字形状の溝の最大幅を有する部分の高さより低い円筒形であり、レール２０ｂの開口部からストラップ取り付け部材２１が抜けないようにするために形成される。フランジ２１ｅの先端の面にはカム２１ｆが形成される。
【００５０】
カム２１ｆは、向きの異なる２個の三角柱により形成され、各三角柱の先端の面はそれぞれフランジ２１ｅの端面に対して傾斜したカム面となっている。カム２１ｆの幅は、レールにより形成された空間の奥に設けられた溝の幅より小さく、カム２１ｆの長さは当該溝の幅より長く形成される。
【００５１】
このように形成されたストラップ取り付け部材２１は、以下のようにしてカメラ２に取り付けられる。
【００５２】
フランジ２１ｅのカム２１ｆが形成されていない側の端面がレール２０ｂの内面に接するように、かつカム２１ｆのカム面がレール２０ｂの内面に接触しないように、ストラップ取り付け部材２１をレール２０ｂにより形成された空間内部に挿入する。これにより、ストラップ取り付け部材２１をレール２０ｂに沿って上下に摺動させることができる。
【００５３】
ストラップ取り付け部材２１がレール２０ｂ上の所望の位置にある時に、ユーザーがストラップ取り付け部材２１のツマミ２１ｂを回転させると、それに伴って摺動部２０ｄ、フランジ２１ｅ及びカム２１ｆが回転する。
【００５４】
カム２１ｆが回転することにより、カム２１ｆのカム面とレール２０ｂの内面とが圧接し、かつフランジ２１ｅのカム２１ｆが形成されていない側の端面とレール２０ｂとが圧接されて、ストラップ取り付け部材２１が所望の位置でレール２０ｂに固定される。
【００５５】
なお、ユーザーがストラップ取り付け部材２１のツマミ２１ｂを逆方向に回転させることにより、カム２１ｆのカム面とレール２０ｂの内面との圧接が外され、ストラップ取り付け部材２１の固定が解除される。このように、ストラップ取り付け部材２１の固定及び固定解除を容易に行うことができるため、ユーザーがストラップの取り付け位置を容易に調整することができる。
【００５６】
本実施の形態によれば、ストラップ取り付け部材の位置を容易に調整できるため、ユーザーが把持しやすいカメラを提供することができる。
【００５７】
なお、本実施の形態では、フィンを本体部の外周面全体に形成したが、本体部の外周面の一部領域にのみフィンを形成するようにしてもよい。
【００５８】
また、本実施の形態では、カムは向きの異なる２個の三角柱により形成されたが、カムの形状はこれに限らず、フランジの端面に対して傾斜したカム面を有していればよい。例えば、１個の三角柱でもよいし、高さが変化する円弧状のリブでもよい。
【００５９】
＜第３の実施の形態＞
本発明の第３の実施の形態は、押出し成形によりレールを一体形成する点で第１の実施の形態と同様であるが、押出し方向が第１の実施の形態と異なるものである。
【００６０】
第３の実施の形態は、筐体の上下方向の押し出し成形により、筐体の側面にレールを一体形成して、ユーザーがカメラを把持するときに用いるグリップ部材をユーザーが所望の位置で固定可能にする形態である。
【００６１】
図６は本発明の第３の実施の形態に係るカメラ３の要部斜視図である。図７は、カメラ３の要部断面図である。なお、第１の実施の形態と同一の部分については、同一の符号を付し、説明を省略する。
【００６２】
カメラ３は、主として、筐体３０と、グリップ部材３１と、ストラップ取り付け部材３２とで構成される。筐体３０の内部にレンズユニット、モニタ、基板などの図示しない様々な部品を組み込んだ後で、図示したい側板で筐体３０の本体部３０ａの上面及び底面を覆うことにより、カメラ３が組み立てられる。
【００６３】
筐体３０は、筐体１０と同様に、アルミニウム合金を用いて押出し形成により形成された中空の部材であり、主として、本体部３０ａと、レール３０ｂと、レンズ用の孔１０ｃと、フラッシュ用の孔１０ｄと、モニタ用の孔１０ｅとで構成される。
【００６４】
本体部３０ａは、一定の肉厚で略矩形形状に形成される。本体部３０ａの側面には、レール３０ｂが押出し成形により本体部３０ａと同時に形成される。レール１０ｂは、対向する略Ｌ字形状のリブにより構成される。レール１０ｂの内部には、略Ｔ字形状の空間が形成され、空間の外側には開口溝が形成される。
【００６５】
グリップ部材３１は、２枚の細長い板３１ａ、３１ｂが連結部３１ｃにより連結された、断面が略Ｈ字形状の棒状の部材である。板３１ａ、３１ｂの厚さは、同じでもよいし異なっていてもよいが、板３１ａ、３１ｂのいずれかの厚さがレール３０ｂにより形成される空間の厚さより薄くなるようにする。本実施の形態では、板３１ａの厚さがレール３０ｂにより形成される空間より薄く形成される。
【００６６】
連結部３１ｃには、ネジ３２ｄ（後述）がネジ締めされるネジ孔３１ｄが形成されている。図６においては、ネジ孔３１ｄが５つ形成された例を示したが、ネジ穴の数は１つでも、２個でも、何個でもかまわない。
【００６７】
ストラップ取り付け部材３２は、主として、本体部３２ａと、ツマミ３２ｂと、孔３２ｃと、ネジ３２ｄとで構成される。
【００６８】
本体部３２ａは、略円錐形であり、凸側にはツマミ３２ｂが形成され、平面側にはネジ３２ｄが形成される。また、本体部３２ａを貫通するように孔３２ｃが形成され、孔３２ｃを介して本体部３２ａにストラップが取り付けられる。
【００６９】
このように形成されたグリップ部材３１は、以下のようにしてカメラ３に取り付けられ、かつ位置の調整が行われる。
【００７０】
図７に示すように、板３１ａをレール３０ｂによって形成された空間に挿入する。板３１ａの厚さはレール３０ｂにより形成される空間より薄いため、グリップ部材３１はレール３０ｂに沿って上下に摺動可能である。そして、ストラップ取り付け部材３２のネジ３２ｄをネジ孔３１ｄに軽くネジ締めする。
【００７１】
グリップ部材３１がレール３０ｂ上の所望の位置にある時に、ストラップ取り付け部材３２のネジ３２ｄをネジ孔３１ｄに挿入し、ストラップ取り付け部材３２のツマミ３２ｂを回転させて、ネジ３２ｄのネジ締めを行う。ネジ３２ｄがネジ孔３１ｄを貫通した状態で更にネジ締めを行うと、それに伴ってグリップ部材３１がレール３０ｂ側に押し上げられて、板３１ａとレール２０ｂとが圧接して、グリップ部材３１が所望の位置でレール２０ｂに固定される。なお、ストラップ取り付け部材３２のツマミ３２ｂを逆方向に回転させることにより、板３１ａとレール２０ｂとの圧接が外され、グリップ部材３１の固定が解除される。
【００７２】
ユーザーは、グリップ部材３１の固定を解除してグリップ部材３１を所望の位置になるように調整し、その位置でネジ３２ｄを所望のネジ孔３２ｄにネジ締めを行う。これにより、ユーザーはグリップ部材３１の位置を容易に調整することができる。
【００７３】
本実施の形態によれば、グリップ部の近傍に配設されたフラッシュにユーザーの指が掛からないように、グリップ部材を調整できるため、ユーザー把持しやすいカメラを提供することができる。
【００７４】
なお、本実施の形態では、ストラップ取り付け部材３２によりグリップ部材３１を固定したが、ストラップ取り付け部材３２を用いなくてもグリップ部材３１がレール３０ｂからはずれないように、先端に凸が形成された板バネをレール３０ｂにより形成された空間内の壁に取り付け、当該凸と勘合する溝をグリップ部材３１に形成するなどの抜け止め機構を備えるようにすると、より使用しやすいカメラを提供することができる。
【００７５】
＜第４の実施の形態＞
本発明の第４の実施の形態は、押出し成形によりレールを一体形成し、グリップ部材を所望の位置に取り付ける点で第３の実施の形態と同様であるが、レールの形成位置が第１の実施の形態と異なるものである。
【００７６】
第４の実施の形態は、筐体の上下方向の押し出し成形により、筐体の前面に複数のレールを一体形成して、ユーザーがカメラを把持するときに用いるグリップ部材をユーザーが所望の位置に取り付け可能にする形態である。
【００７７】
図８は本発明の第４の実施の形態に係るカメラ３の要部斜視図である。なお、第１の実施の形態と同一の部分については、同一の符号を付し、説明を省略する。
【００７８】
カメラ３は、主として、筐体４０と、グリップ部材４１とで構成される。筐体４０の内部にレンズユニット、モニタ、基板などの図示しない様々な部品を組み込んだ後で、図示したい側板で筐体４０の上面及び底面を覆うことにより、カメラ４が組み立てられる。なお、溝４０ｂが形成された領域の上面及び底面は覆われない。
【００７９】
筐体４０は、筐体１０と同様に、アルミニウム合金を用いて押出し形成により形成された中空の部材であり、主として、本体部４０ａと、溝４０ｂと、レンズ用の孔１０ｃと、フラッシュ用の孔１０ｄと、モニタ用の孔１０ｅとで構成される。
【００８０】
本体部４０ａは、一定の肉厚で略矩形形状に形成される。本体部４０ａの前面には、略Ｔ字形状の複数の溝３０ｂが、押し出し成形により本体部４０ａと同時に形成される。これにより、溝３０ｂの外側にはレール４０ｃが形成される。
【００８１】
グリップ部材４１は、フランジ部４０ａと、フランジ部４０ａに略垂直に形成された凸部４０ｂとで構成された略Ｔ字形状の棒状の部材であり。溝３０ｂに挿入可能なように、フランジ部４１ａは溝３０ｂより小さく形成されている。
【００８２】
このように形成されたグリップ部材４１を、ユーザーが所望の溝３０ｂに挿入し、図示しない抜け止め部材を圧入することで、グリップ部材４１が筐体４０に取り付けられる。グリップ部材４１が筐体４０に取り付けられると、凸部４１ｂが本体部４０ａの外側の面から突出し、ユーザーが凸部４１ｂを指係り部として使用することができる。
【００８３】
本実施の形態では、グリップ部材が取り付け可能な複数の溝を押し出し成形により同時に形成したため、部品点数を増やすことなく、任意の位置のグリップ部を取りつけることができる。
【００８４】
＜第５の実施の形態＞
本発明の第５の実施の形態は、押出し成形によりレールを一体形成する点で第１の実施の形態と同様であるが、レールの形成位置が第１の実施の形態と異なるものである。
【００８５】
第５３の実施の形態は、筐体の左右方向の押し出し成形により、筐体の背面にレールを一体形成して、表示部材をユーザーが所望の位置で固定可能にする形態である。
【００８６】
図９は本発明の第５の実施の形態に係るカメラ３の要部斜視図である。なお、第１の実施の形態と同一の部分については、同一の符号を付し、説明を省略する。
【００８７】
カメラ５は、主として、筐体５０と、液晶パネル５１とで構成される。筐体５０の内部にレンズユニット、モニタ、基板などの図示しない様々な部品を組み込んだ後で、図示したい側板で筐体５０の上面及び底面を覆うことにより、カメラ５が組み立てられる。
【００８８】
筐体５０は、筐体１０と同様に、アルミニウム合金を用いて押出し形成により形成された中空の部材であり、主として、本体部５０ａと、レール５０ｂと、レンズ用の孔１０ｃと、フラッシュ用の孔１０ｄとで構成される。
【００８９】
本体部５０ａは、一定の肉厚で略矩形形状に形成される。本体部５０ａの背面には、レール５０ｂが押し出し成形により本体部５０ａと同時に形成される。レール５０ｂは、対向する略Ｌ字形状のリブにより構成される。なお、レール５０ｂの幅は、液晶パネル５１の上下方向の幅に合わせて設計される。
【００９０】
液晶パネル５１の前面には、液晶パネル５１と略同一形状のカバーガラスが配設され、液晶パネル５１の背面には、板バネが配設されている。なお、カバーガラスは、透明のプラスチック部材で形成されるのが好ましい。
【００９１】
液晶パネル５１をレール５０ｂによって形成された空間に挿入すると、液晶パネル５１には板バネによりレール５０ｂに押し付けられる方向の力が付勢される。その結果、液晶パネル５１の前面に配設されたカバーガラスがレール５０ｂに圧接され、液晶パネル５１は任意の位置で固定される。なお、レール５０ｂの両端には、液晶パネル５１挿入後に、図示しない抜け止め部材が圧入される。
【００９２】
ユーザーがカバーガラスの上から液晶パネル５１を押圧すると、板バネの付勢力にこうしてカバーガラスとレール５０ｂとの圧接が解除され、液晶パネル５１をレール５０ｂに沿って左右に摺動させることができる。
【００９３】
液晶パネル５１がユーザーの所望する位置に移動された場合には、ユーザーは液晶パネル５１の押圧を解除する。その結果、液晶パネル５１は板バネの付勢力により再度固定される。
【００９４】
本実施の形態によれば、ユーザーが任意の位置の液晶パネルを移動させることができるため、撮影時に指により液晶パネルが覆われるなどの不具合を防止することができる。
【００９５】
なお、本実施の形態の変形例として、上下方向の押出し成形により形成した例を図１０に示す。レール５０ｂ’の幅が液晶パネル５１の左右方向の幅に合わせて設計される以外は、図９に示す場合と変わらない。
【００９６】
なお、本発明は、デジタルカメラ筐体のみでなく、携帯電話、ＰＤＡ、音楽プレーヤーなどの様々な電子機器に適用することができる。また、本発明は、アルミニウム合金を用いて押出し成形を行ったが、アルミニウムに限らず、例えば、マグネシウム合金、銅合金などの押出し成形が可能な様々な材料を用いることができる。また、放熱を考慮しない場合には、プラスティック材料を用いてもよい。
【００９７】
また、本発明では、筐体の断面形状が略矩形形状の場合を例に説明したが、略矩形状に限らず、様々な形状を用いることができる。
【図面の簡単な説明】
【００９８】
【図１】本発明が適用された第１の実施の形態に係るカメラ１の要部斜視図である。
【図２】上記カメラ１に三脚を取り付けた場合の要部断面図である。
【図３】本発明が適用された第２の実施の形態に係るカメラ２の要部斜視図である。
【図４】ストラップ取り付け部材２１の斜視図である。
【図５】上記カメラ２の要部断面図である。
【図６】本発明が適用された第３の実施の形態に係るカメラ３の要部斜視図である。
【図７】上記カメラ３の要部断面図である。
【図８】本発明が適用された第４の実施の形態に係るカメラ４の要部斜視図である。
【図９】本発明が適用された第５の実施の形態に係るカメラ５の要部斜視図である。
【図１０】上記カメラ３の変形例である。
【符号の説明】
【００９９】
１、２、３、４、５：カメラ、１０、２０、３０、４０、５０：筐体、１１：三脚取り付け部材、２１：ストラップ取り付け部材、３１、４１：グリップ部材、５１：液晶パネル
【図１】
2009186586.tif 000003
【図２】
2009186586.tif 000004
【図３】
2009186586.tif 000005
【図４】
2009186586.tif 000006
【図５】
2009186586.tif 000007
【図６】
2009186586.tif 000008
【図７】
2009186586.tif 000009
【図８】
2009186586.tif 000010
【図９】
2009186586.tif 000011
【図１０】
2009186586.tif 000012